(57)【要約】【課題】ラジオ機能付き携帯型プレーヤのコストおよびサイズの増加を極力抑えつつ、利便性の高い送受信システムを提供する。【解決手段】ＤＶＤプレーヤでは、ＣＤから読み出された音声信号をデータ圧縮部が圧縮して圧縮信号を生成し、送信部が圧縮信号をデジタル周波数変調して変調信号を生成し、アンテナから変調信号が電波として放射される。携帯型メモリプレーヤ１６では、バンドパスフィルタ１８が、アンテナ１７が変換した高周波信号のうち上記ＤＶＤプレーヤのアンテナから放射された電波信号の高周波信号のみを通過させ、その高周波信号に基づく信号をデジタル周波数復調部２５がデジタル信号に復調し、このデジタル信号に基づきファイル生成部２６が生成した圧縮ファイルがデータ保存用メモリ２７に記憶される。【選択図】図２
2007179648.tif 000002
【特許請求の範囲】
【請求項１】
ディスクに記録された情報を読み出す読出手段と、該読出手段が読み出した情報に基づき圧縮信号を生成する圧縮手段と、前記圧縮信号をデジタル周波数変調またはデジタル振幅変調して変調信号を生成する変調手段と、前記変調信号を電波信号に変換して放射させる第一のアンテナと、を備えるディスク装置と、
記録媒体と、操作手段と、電波信号を高周波信号に変換する第二のアンテナと、前記操作手段における操作に応じた周波数の高周波信号を前記第二のアンテナからの高周波信号から抽出する抽出手段と、該抽出手段が抽出した高周波信号に基づく信号をＦＭ復調またはＡＭ復調して音声信号を生成する第一の復調手段と、前記抽出手段が抽出した高周波信号に基づく信号を復調してデジタル信号を生成する第二の復調手段と、前記デジタル信号に基づき圧縮ファイルを生成するファイル生成手段と、前記圧縮ファイルを前記記録媒体に記録させる記録手段と、前記記録媒体に記録された圧縮ファイルを伸張して再生する再生手段と、を備える携帯型再生装置と、
からなることを特徴とする送受信システム。
【請求項２】
請求項１に記載の送受信システムが有するディスク装置。
【請求項３】
請求項１に記載の送受信システムが有する携帯型再生装置。
【発明の詳細な説明】
【技術分野】
【０００１】
本発明は、ディスク装置と携帯型プレーヤからなる送受信システムに関する。
【背景技術】
【０００２】
今日、ＭＰ３等の形式で圧縮された音声ファイルを保存し再生できる携帯型プレーヤが普及してきている。音声ファイルを保存する記録媒体にはメモリやハードディスクが用いられる。大量のＣＤを所有するユーザにとっては、それらのＣＤに収録されたトラックを一つの携帯型プレーヤに圧縮保存し再生して曲を鑑賞することができるので非常に便利である。従来、ＣＤに収録されたトラックを携帯型プレーヤに圧縮保存するには、ＣＤをコンピュータに挿入して、圧縮ソフトを用いてＣＤに収録されたトラックを圧縮ファイルに変換し、その圧縮ファイルをコンピュータに接続された携帯型プレーヤに転送する必要があった。しかしこれでは、いちいちユーザはコンピュータにアクセスする必要があり面倒であった。
【０００３】
そこで、例えば特許文献１には、ＣＤドライブと、ＣＤドライブがＣＤから読み取った音声信号を圧縮するコンバータと、携帯型プレーヤに圧縮ファイルを転送する赤外線ポートやブルートゥースもしくはＩＥＥＥ８０２．１１に準拠した通信アダプタとを備えた記録装置が開示されている。本記録装置により、ＣＤに収録されたトラックを携帯型プレーヤに圧縮ファイルとして保存する際にコンピュータが不要となり便利なものとなる。
【特許文献１】特開２００２−２４５７１９号公報（段落［００１１］［００１２］等）
【発明の開示】
【発明が解決しようとする課題】
【０００４】
しかし、上記特許文献１の記録装置には次のような問題点がある。昨今、携帯型プレーヤにはラジオ機能を有するものが登場しているが、上記記録装置と通信を行うには、赤外線ポートやブルートゥースもしくはＩＥＥＥ８０２．１１に準拠した通信アダプタを新たに携帯型プレーヤに搭載する必要があり、通信機能を有する既存のラジオ機能用の部品を有効利用できず、コストおよびサイズが無駄に大きく増加してしまう。
【０００５】
本発明は上記問題点を鑑みなされたものであり、ラジオ機能付き携帯型プレーヤのコストおよびサイズの増加を極力抑えつつ、利便性の高い送受信システムを提供することを目的とする。
【課題を解決するための手段】
【０００６】
上記目的を達成するために本発明の送受信システムは、ディスクに記録された情報を読み出す読出手段と、該読出手段が読み出した情報に基づき圧縮信号を生成する圧縮手段と、前記圧縮信号をデジタル周波数変調またはデジタル振幅変調して変調信号を生成する変調手段と、前記変調信号を電波信号に変換して放射させる第一のアンテナと、を備えるディスク装置と、
記録媒体と、操作手段と、電波信号を高周波信号に変換する第二のアンテナと、前記操作手段における操作に応じた周波数の高周波信号を前記第二のアンテナからの高周波信号から抽出する抽出手段と、該抽出手段が抽出した高周波信号に基づく信号をＦＭ復調またはＡＭ復調して音声信号を生成する第一の復調手段と、前記抽出手段が抽出した高周波信号に基づく信号を復調してデジタル信号を生成する第二の復調手段と、前記デジタル信号に基づき圧縮ファイルを生成するファイル生成手段と、前記圧縮ファイルを前記記録媒体に記録させる記録手段と、前記記録媒体に記録された圧縮ファイルを伸張して再生する再生手段と、を備える携帯型再生装置と、
からなることを特徴としている。
【０００７】
このような送受信システムによれば、コンピュータを使用せずにディスクに記録された情報を圧縮して携帯型プレーヤに記録させることができ利便性が高い。また、ラジオ機能付き携帯型プレーヤにおいてラジオ機能用の部品を流用でき、コストおよびサイズの増加を極力抑えることができる。また、複数の携帯型プレーヤに同時に圧縮ファイルを記録させることもできる。また、赤外線通信よりも障害物の影響が少なく、通信距離も長いため、携帯型プレーヤの使用範囲が広がり便利である。
【発明の効果】
【０００８】
本発明の送受信システムによれば、ラジオ機能付き携帯型プレーヤのコストおよびサイズの増加を極力抑えつつ、利便性が高いものとなる。
【発明を実施するための最良の形態】
【０００９】
以下、本発明に係る送受信システムについて、ＤＶＤプレーヤと携帯型メモリプレーヤからなる送受信システムを例として説明する。
【００１０】
図１に、本発明に係るＤＶＤプレーヤ１の構成を示すブロック図を示す。ディスクドライブ２は、スピンドルモータ、光ピックアップ、信号処理回路、サーボ回路を有し、挿入されたＤＶＤやＣＤに記録された情報を読み出し、復調および誤り訂正を行う。映像音声伸張部３は、ＭＰＥＧ２形式等で圧縮された映像信号や、ＭＰＥＧオーディオ形式等で圧縮された音声信号を伸張する。音声ＤＡＣ４および映像ＤＡＣ５はＤＡコンバータである。ＯＳＤ（Ｏｎ  Ｓｃｒｅｅｎ  Ｄｉｓｐｌａｙ）部６は、制御部１０の指示により文字信号や図形信号を生成し、映像合成部７に送出する。映像合成部７は、映像音声伸張部３で伸張された映像信号とＯＳＤ部６で生成された文字信号や図形信号を合成して、映像ＤＡＣ５に送出する。操作部８は、ボタン等で構成される。リモコン受信部９は、リモコン１５からの赤外線信号を受信および復調し、操作信号を制御部１０に送出する。データ圧縮部１１は、音声信号をＭＰ３形式等で圧縮して圧縮信号を生成する。送信部１２は、データ圧縮部１１からの圧縮信号をデジタル周波数変調（ＦＳＫ）する。アンテナ１３は送信部１２からの変調信号を電波信号として放射する。
【００１１】
また、表示装置１４は、例えばテレビであり、音声ＤＡＣ４および映像ＤＡＣ５と接続される。
【００１２】
ディスクドライブ２にＤＶＤが装着された状態で操作部８またはリモコン１５により再生操作がされると、制御部１０の指示によりディスクドライブ２は、ＤＶＤに記録された情報を読み出し、復調および誤り訂正を行い、制御部１０に圧縮された映像信号および音声信号を送出する。制御部１０はその映像信号および音声信号を映像音声伸張部３に送出する。映像音声伸張部３は、圧縮されている映像信号および音声信号を伸張し、伸張された音声信号を音声ＤＡＣ４に、伸張された映像信号を映像合成部７に送出する。音声ＤＡＣ４は、伸張された音声信号をデジタルからアナログに変換し、表示装置１４に送出する。また、映像合成部７は、映像音声伸張部３からの伸張された映像信号と、ＯＳＤ部６からの文字信号（例えばチャプター名等）および図形信号（例えば表示枠等）とを合成し、映像ＤＡＣ５に送出する。映像ＤＡＣ５は、その合成された信号をデジタルからアナログに変換し、表示装置１４に送出する。そして、表示装置１４の画面に映像が表示され、スピーカからは音声が再生される。
【００１３】
また、ディスクドライブ２にＣＤが装着された状態で操作部８またはリモコン１５により再生操作がされると、制御部１０の指示によりディスクドライブ２は、ＣＤに記録された情報を読み出し、復調および誤り訂正を行い、制御部１０に音声信号を送出する。制御部１０はその音声信号を映像音声伸張部３に送出する。映像音声伸張部３は、制御部１０からの音声信号をそのまま音声ＤＡＣ４に送出し、音声ＤＡＣ４は音声信号をデジタルからアナログに変換し表示装置１４に送出する。そして、表示装置１４のスピーカから音声が再生される。
【００１４】
次に図２に、本発明に係る携帯型メモリプレーヤ１６の構成を示すブロック図を示す。この携帯型メモリプレーヤ１６は、ＦＭラジオ機能を有する。
【００１５】
アンテナ１７は、電波信号を受信し高周波信号に変換し、バンドパスフィルタ１８に送出する。バンドパスフィルタ１８は、ある周波数帯域の高周波信号だけを通過させるフィルタであり、周波数帯域は制御部２０の指示により可変である。局部発振部１９は、ＰＬＬ制御により局部発振信号を生成し、その周波数は制御部２０の指示により可変である。周波数混合部２１は、バンドパスフィルタ１８からの高周波信号と局部発振部１９からの局部発振信号とを混合し、中間周波数信号を生成する。増幅部２２は、中間周波数信号を増幅する。スイッチ２３は、増幅部２２からＦＭ復調部２４またはデジタル周波数復調部２５への経路を制御部２０の指示により切り換えるスイッチである。ＦＭ復調部２４は、中間周波数信号をＦＭ復調し、音声信号をスピーカ３１に送出する。デジタル周波数復調部２５は、中間周波数信号をデジタル周波数復調し、デジタル信号をファイル生成部２６に送出する。ファイル生成部２６は、このデジタル信号に基づき圧縮ファイルを生成する。データ保存用メモリ２７には、圧縮ファイルが記憶され保存される。データ伸張部２８は、データ保存用メモリ２７に記憶された圧縮ファイルを伸張し、音声信号をＤＡＣ３０に送出する。ＤＡＣ３０は伸張された音声信号をデジタルからアナログに変換するＤＡコンバータである。スピーカ３１は、ＦＭ復調部２４やＤＡＣ３０からの音声信号を音声に変換する。操作部２９は、ボタン等から構成される。
【００１６】
操作部２９によりデータ保存用メモリ２７に記憶された圧縮ファイルのいずれかが選択され再生操作がされると、制御部２０はデータ保存用メモリ２７から選択された圧縮ファイルを読み出し、データ伸張部２８に送出する。データ伸張部２８は圧縮ファイルを伸張し、音声信号をＤＡＣ３０に送出し、ＤＡＣ３０は伸張された音声信号をデジタルからアナログに変換し、スピーカ３１に送出する。そして、スピーカ３１から音声が再生される。
【００１７】
また、操作部２９によりＦＭラジオ機能が選択され放送局の選局がされると、制御部２０は、選局された放送局に対応した周波数帯域で高周波信号を通過させるようバンドパスフィルタ１８に指示し、選局された放送局に対応した周波数の局部発振信号を生成するよう局部発振部１９に指示する。また、制御部２０は、増幅部２２からＦＭ復調部２４の経路にスイッチ２３を切り換える。
【００１８】
これにより、あらゆる周波数の電波信号をアンテナ１７が高周波信号に変換しバンドパスフィルタ１８に送出すると、バンドパスフィルタ１８は選局された放送局に対応した周波数帯域の高周波信号のみを通過させ、周波数混合部２１に送出する。周波数混合部２１は、バンドパスフィルタ１８からの高周波信号と局部発振部１９からの局部発振信号を混合し、中間周波数信号を生成する。増幅部２２は中間周波数信号を増幅し、スイッチ２３を介してＦＭ復調部２４に送出する。ＦＭ復調部２４は、増幅された中間周波数信号をＦＭ復調し、音声信号をスピーカ３１に送出する。そして、スピーカ３１から選択された放送局の放送音声が発せられる。
【００１９】
次に、本発明の特徴となるＤＶＤプレーヤ１と携帯型メモリプレーヤ１６とからなる送受信システムによるデータ転送処理について以下説明する。これにより、ＣＤに収録された所望のトラックを所望の形式で圧縮し、ＤＶＤプレーヤ１から携帯型メモリプレーヤ１６に転送して記憶させることができる。
【００２０】
ＤＶＤプレーヤ１のディスクドライブ２にＣＤが挿入され、リモコン１５が有するメニュー表示ボタンが押されると、制御部１０はリモコン受信部９からの操作信号を受け、ＯＳＤ部６にメニュー表示するよう指示し、表示装置１４の画面には図３（ａ）のようなメニューが表示される。ここでリモコン１５が有するカーソルボタンの押し下げにより指定枠３２が移動され、「データ転送」が選択された状態でリモコン１５が有する決定ボタンが押されると、制御部１０はＯＳＤ部６に指示して表示装置１４に図３（ｂ）のような画面を表示させる。ここでは、「個別選択」「全トラック選択」という文字が表示される。リモコン１５が有するカーソルボタンの押し下げにより指定枠３２が移動され、「個別選択」が選択された状態でリモコン１５が有する決定ボタンが押されると、制御部１０はＯＳＤ部６に指示して表示装置１４に図３（ｃ）のような画像を表示させる。
【００２１】
ここでは、ＣＤから読み取られたＴＯＣ情報に基づきトラックが表示され、トラック毎にチェックボックス３３が表示される。リモコン１５が有するカーソルボタンの押し下げにより指定枠３２が移動され、あるトラックが選択された状態でリモコン１５が有する決定ボタンが押されると、そのトラックの隣のチェックボックス３３にチェック表示がされる。このような操作が繰り返され、複数のトラックの隣のチェックボックス３３にチェック表示された後、「選択完了」に指定枠３２が移動され、リモコン１５が有する決定ボタンが押されると、制御部１０はＯＳＤ部６に指示して表示装置１４に図３（ｄ）のような画面を表示させる。
【００２２】
また、図３（ｂ）で「全トラック選択」が指定枠３２により選択された状態でリモコン１５が有する決定ボタンが押されると、制御部１０はＯＳＤ部６に指示して表示装置１４に図３（ｄ）のような画面を表示させる。
【００２３】
図３（ｄ）では、ＣＤに収録されたトラックを圧縮する形式の候補として、「ＭＰ３」「ＷＭＡ」が表示される。これらのいずれかが指定枠３２により選択され、リモコン１５が有する決定ボタンが押されると、制御部１０はＯＳＤ部６に指示して表示装置１４に図３（ｅ）のような画面を表示させる。
【００２４】
ここでは、データ転送開始してもよいかの確認として、「はい」「いいえ」の表示がされる。ここで「はい」が指定枠３２により選択されるとデータ転送が開始されるが、その前にユーザは携帯型メモリプレーヤ１６の操作部２９が有するデータ取込開始ボタンを押す必要がある。操作部２９が有するデータ取込開始ボタンが押されると、制御部２０は、ＤＶＤプレーヤ１において圧縮信号に基づき送信部１２が生成する変調信号の周波数帯域の高周波信号のみを通過させるようバンドパスフィルタ１８に指示し、上記変調信号の周波数帯域に対応する所定の周波数の局部発振信号を生成するよう局部発振部１９に指示する。また、制御部２０は、増幅部２２からデジタル周波数復調部２５の経路にスイッチ２３を切り換える。
【００２５】
そして、図３（ｅ）の画面で、「はい」が指定枠３２により選択され、リモコン１５が有する決定ボタンが押されると、制御部１０の指示により、ディスクドライブ２は、上記図３（ｂ）で「個別選択」が選択されている場合は上記図３（ｃ）の画面で選択されたトラックを順に読み出し、復調および誤り訂正し、音声信号を制御部１０に送出する。また、上記図３（ｂ）で「全トラック選択」が選択されている場合は、ディスクドライブ２は、ＣＤに収録された全てのトラックを順にＣＤから読み出し、復調および誤り訂正し、音声信号を制御部１０に送出する。
【００２６】
制御部１０はディスクドライブ２からの音声信号をデータ圧縮部１１に送出する。データ圧縮部１１は、トラック毎に音声信号を上記図３（ｄ）の画面で選択された圧縮形式で圧縮し圧縮信号を生成し、圧縮信号が生成完了するたびに送信部１２へ圧縮信号を送出する。送信部１２は、圧縮信号の０、１データに対応して搬送波の周波数を変化させ、いわゆるデジタル周波数変調（ＦＳＫ）を行い、変調信号を生成してアンテナ１３に送出する。そして、アンテナ１３は変調信号を電波信号として放射する。
【００２７】
アンテナ１３から放射された電波信号を、携帯型メモリプレーヤ１６のアンテナ１７が受信し高周波信号に変換する。また、アンテナ１７はその他の電波信号も受信し高周波信号に変換する。ここで前述したように、制御部２０の指示によりバンドパスフィルタ１８は、上記変調信号の周波数帯域の高周波信号のみを通過させるよう設定されているので、バンドパスフィルタ１８はアンテナ１７からの高周波信号のうち上記変調信号の周波数帯域の高周波信号のみを通過させ、周波数混合部２１に送出する。周波数混合部２１は、バンドパスフィルタ１８からの高周波信号と局部発振部１９からの局部発振信号とを混合し、中間周波数信号を生成する。増幅部２２は、中間周波数信号を増幅し、スイッチ２３を介してデジタル周波数復調部２５に送出する。
【００２８】
デジタル周波数復調部２５は、増幅された中間周波数信号をデジタル信号に復調し、デジタル信号をファイル生成部２６に送出する。ファイル生成部２６は、デジタル周波数復調部２５からのデジタル信号に基づきトラック毎の圧縮ファイルを生成し、制御部２０に送出する。そして、制御部２０は圧縮ファイルをデータ保存用メモリ２７に記憶させる。
【００２９】
そして、ＤＶＤプレーヤ１の送信部１２が全てのトラックに対応する変調信号をアンテナ１３に送出した後、制御部１０は処理終了を示す信号を送信部１２、アンテナ１３を介して携帯型プレーヤ１６に電波信号として送出する。そして、その電波信号は携帯型メモリプレーヤ１６において上記と同様の経路をたどりデジタル周波数復調部２５で処理終了を示す信号に復調され、制御部２０がその信号を受信すると、スイッチ２３をオフする。以上でデータ転送処理が終了する。
【００３０】
データ保存用メモリ２７に記憶された圧縮ファイルは、前述したように、データ伸張部２８、ＤＡＣ３０を介してスピーカ３１から音声として再生可能である。
【００３１】
このような送受信システムによれば、コンピュータを使用せずにＣＤに収録されたトラックを圧縮して携帯型メモリプレーヤに記録させることができ利便性が高い。また、ＦＭラジオ機能付き携帯型メモリプレーヤにおいてＦＭラジオ機能用の部品を流用でき、コストおよびサイズの増加を極力抑えることができる。また、複数の携帯型メモリプレーヤに同時に圧縮ファイルを記憶させることもできる。また、赤外線通信よりも障害物の影響が少なく、通信距離も長いため、携帯型メモリプレーヤの使用範囲が広がり便利である。
【００３２】
なお、上記携帯型メモリプレーヤ１６は音声再生のみであったが、データ伸張部２８に接続された表示部を備え、データ保存用メモリ２７に記憶された圧縮ファイルが伸張され音声に加え映像も再生可能であれば、ＤＶＤプレーヤ１のディスクドライブ２に挿入されたＤＶＤに記録された映像および音声情報を圧縮して携帯型メモリプレーヤ１６に転送記憶させるようにしてもよい。この場合、データ圧縮部１１での圧縮形式としてはＭＰＥＧ４等を用いればよい。
【００３３】
また、上記携帯型メモリプレーヤ１６はＦＭラジオ機能を有していたが、ＦＭ復調部２４をＡＭ復調部としてＡＭラジオ機能を有していてもよい。この場合は、ＤＶＤプレーヤ１の送信部１２では、圧縮信号の０、１データに対応して搬送波の振幅を変化させ、いわゆるデジタル振幅変調（ＡＳＫ）を行い、変調信号を生成してアンテナ１３に送出するようにし、携帯型メモリプレーヤ１６のデジタル周波数復調部２５では、デジタル振幅復調をするようにすればよい。
【００３４】
また、上記携帯型メモリプレーヤ１６のデータ保存用メモリ２７を代わりにハードディスクドライブとして、ハードディスクに圧縮ファイルを記録するようにしてもよい。この場合、ハードディスクに記録された圧縮ファイルは、データ伸張部２８で伸張され、ＤＡＣ３０を介しスピーカ３１から音声として再生される。
【００３５】
また、上記携帯型メモリプレーヤ１６のラジオの方式は、高周波信号を途中で中間周波数信号に変換する、いわゆるスーパーヘテロダイン方式であったが、中間周波数信号に変換しない、いわゆるストレート方式でもよい。
【図面の簡単な説明】
【００３６】
【図１】は、本発明に係るＤＶＤプレーヤの構成を示すブロック図である。
【図２】は、本発明に係る携帯型メモリプレーヤの構成を示すブロック図である。
【図３】は、本発明に係る送受信システムによりデータ転送をする際の操作画面を示す図である。
【符号の説明】
【００３７】
１    ＤＶＤプレーヤ
２    ディスクドライブ
３    映像音声伸張部
４    音声ＤＡＣ
５    映像ＤＡＣ
６    ＯＳＤ部
７    映像合成部
８    操作部
９    リモコン受信部
１０    制御部
１１    データ圧縮部
１２    送信部
１３    アンテナ
１４    表示装置
１５    リモコン
１６    携帯型メモリプレーヤ
１７    アンテナ
１８    バンドパスフィルタ
１９    局部発振部
２０    制御部
２１    周波数混合部
２２    増幅部
２３    スイッチ
２４    ＦＭ復調部
２５    デジタル周波数復調部
２６    ファイル生成部
２７    データ保存用メモリ
２８    データ伸張部
２９    操作部
３０    ＤＡＣ
３１    スピーカ
３２    指定枠
３３    チェックボックス
【図１】
2007179648.tif 000003
【図２】
2007179648.tif 000004
【図３】
2007179648.tif 000005